(57)【特許請求の範囲】
【請求項１】
内容液の収容空間に繋がる口部を有する容器本体と、該容器本体の口部に装着された計量キャップとを備え、前記容器本体をスクイズして前記内容液を前記計量キャップの計量室に導入することで、前記内容液を計量し、前記計量室から注出可能なスクイズ計量容器において、
前記計量キャップは、前記計量室の周面を区画する周壁部と、前記計量室の底面を区画する底壁部と、該底壁部にそれぞれ立設された第１筒部及び第２筒部とを備え、
前記第１筒部は、前記容器本体のスクイズにて前記内容液を前記収容空間から前記計量室に導入する一方、前記容器本体のスクイズ解除にて第１の液面高さを超えて導入された前記内溶液を前記収容空間に回収させる第１開口部を備え、
前記第２筒部は、開閉体によって開閉可能な第２開口部を備え、
前記開閉体は、上方への付勢力を付与された開閉部と、該開閉部から上方に延びるロッド部とを備え、
前記開閉部は、前記付勢力に抗する前記ロッド部の押し下げにて前記第２開口部を開放する一方、前記押し下げの解除にて前記第２開口部を閉止し、
前記第２開口部は、前記開閉体による開放時に、第１の液面高さより低い第２の液面高さを超えて導入された前記内溶液を前記収容空間に回収させることを特徴とするスクイズ計量容器。
【請求項２】
前記計量キャップは、前記容器本体の口部に装着されると共に前記周壁部を有するキャップ本体と、該キャップ本体と前記口部との間に挿入されると共に前記底壁部、前記第１筒部及び前記第２筒部を有する中栓とを備える、請求項１に記載のスクイズ計量容器。
【請求項３】
内容液の収容空間に繋がる口部を有する容器本体と、該容器本体の口部に装着された計量キャップとを備え、前記容器本体をスクイズして前記内容液を前記計量キャップの計量室に導入することで、前記内容液を計量し、前記計量室から注出可能なスクイズ計量容器において、
前記計量キャップは、前記容器本体の口部に装着されると共に前記計量室の周面を区画する周壁部を有するキャップ本体と、該キャップ本体と前記口部との間に挿入されると共に、前記計量室の底面を区画する前記底壁部並びに該底壁部にそれぞれ立設された第１筒部及び第２筒部を有する中栓とを備え、
前記第１筒部は、前記容器本体のスクイズにて前記内容液を前記収容空間から前記計量室に導入する一方、前記容器本体のスクイズ解除にて第１の液面高さを超えて導入された前記内溶液を前記収容空間に回収させる第１開口部を備え、
前記第２筒部は、開閉体によって開閉可能な第２開口部を備え、
前記第２開口部は、前記開閉体による開放時に、第１の液面高さより低い第２の液面高さを超えて導入された前記内溶液を前記収容空間に回収させることを特徴とするスクイズ計量容器。
【請求項４】
前記開閉体は、上方への付勢力を付与された開閉部と、該開閉部から上方に延びるロッド部とを備え、
前記開閉部は、前記付勢力に抗する前記ロッド部の押し下げにて前記第２開口部を開放する一方、前記押し下げの解除にて前記第２開口部を閉止する、請求項３に記載のスクイズ計量容器。
【請求項５】
前記計量キャップは、前記計量室の上面を区画する上壁部を備え、
前記上壁部には、計量された内溶液の注出口と、前記ロッド部が貫通する貫通孔とが形成されている、請求項１、２又は４に記載のスクイズ計量容器。
【請求項６】
前記上壁部には、前記貫通孔を取り囲む案内筒が垂設されており、
前記ロッド部には、前記案内筒内を液密に摺動する環状突起が形成されている、請求項５に記載のスクイズ計量容器。
【請求項７】
前記上壁部の上面に固着され、前記貫通孔と前記ロッド部の上端を覆う膜体を備える、請求項５に記載のスクイズ計量容器。
【請求項８】
前記第２筒部は、前記第２開口部を形成する環状の頂壁部を備え、
前記ロッド部は、前記第２開口部との間に隙間を空けつつ前記第２開口部を貫通しており、
前記開閉部は、前記第２開口部の縁部に下方から着座する弁体である、請求項１、２、４〜７のいずれか一項に記載のスクイズ計量容器。
【請求項９】
前記開閉体は、前記開閉部に前記付勢力を付与する弦巻ばね部と、前記底壁部に固定され、前記弦巻ばね部の下端を支持する固定部とを備える、請求項８に記載のスクイズ計量容器。
【請求項１０】
前記開閉体は、前記ロッド部、前記開閉部、前記弦巻ばね部及び前記固定部を一体に備える合成樹脂製の一体成型品である、請求項９に記載のスクイズ計量容器。
【発明の詳細な説明】
【技術分野】
【０００１】
本発明は、容器本体の口部に装着された計量キャップを備え、容器本体をスクイズして内容液を計量キャップの計量室に導入することで、内容液を計量し、計量室から注出可能なスクイズ計量容器に関し、特に、予め設定された複数の分量の間の任意の分量に正確に計量して注出することを可能にしようとするものである。
【背景技術】
【０００２】
従来、この種のスクイズ計量容器として、例えば特許文献１に記載されるようなものが知られている。特許文献１では、計量キャップに２つの計量室を設け、第１の計量室を用いると第１の分量に計量でき、第２の計量室を用いると第１の分量より少ない第２の分量に計量できるようにしている。
【先行技術文献】
【特許文献】
【０００３】
【特許文献１】特許第５１０３３０２号公報
【発明の概要】
【発明が解決しようとする課題】
【０００４】
しかしながら、特許文献１に記載されるような従来のスクイズ計量容器では、第１の分量と第２の分量との間の任意の分量に計量することは困難であった。
【０００５】
本発明は、前記の現状に鑑み開発されたもので、予め設定された複数の分量の間の任意の分量に正確に計量して注出することを可能にするスクイズ計量容器を提供することを目的とする。
【課題を解決するための手段】
【０００６】
すなわち、本発明の要旨構成は以下のとおりである。
１．内容液の収容空間に繋がる口部を有する容器本体と、該容器本体の口部に装着された計量キャップとを備え、前記容器本体をスクイズして前記内容液を前記計量キャップの計量室に導入することで、前記内容液を計量し、前記計量室から注出可能なスクイズ計量容器において、
前記計量キャップは、前記計量室の周面を区画する周壁部と、前記計量室の底面を区画する底壁部と、該底壁部にそれぞれ立設された第１筒部及び第２筒部とを備え、
前記第１筒部は、前記容器本体のスクイズにて前記内容液を前記収容空間から前記計量室に導入する一方、前記容器本体のスクイズ解除にて第１の液面高さを超えて導入された前記内溶液を前記収容空間に回収させる第１開口部を備え、
前記第２筒部は、開閉体によって開閉可能な第２開口部を備え、
前記開閉体は、上方への付勢力を付与された開閉部と、該開閉部から上方に延びるロッド部とを備え、
前記開閉部は、前記付勢力に抗する前記ロッド部の押し下げにて前記第２開口部を開放する一方、前記押し下げの解除にて前記第２開口部を閉止し、
前記第２開口部は、前記開閉体による開放時に、第１の液面高さより低い第２の液面高さを超えて導入された前記内溶液を前記収容空間に回収させることを特徴とするスクイズ計量容器。
２．前記計量キャップは、前記容器本体の口部に装着されると共に前記周壁部を有するキャップ本体と、該キャップ本体と前記口部との間に挿入されると共に前記底壁部、前記第１筒部及び前記第２筒部を有する中栓とを備える、前記１のスクイズ計量容器。
３．内容液の収容空間に繋がる口部を有する容器本体と、該容器本体の口部に装着された計量キャップとを備え、前記容器本体をスクイズして前記内容液を前記計量キャップの計量室に導入することで、前記内容液を計量し、前記計量室から注出可能なスクイズ計量容器において、
前記計量キャップは、前記容器本体の口部に装着されると共に前記計量室の周面を区画する周壁部を有するキャップ本体と、該キャップ本体と前記口部との間に挿入されると共に、前記計量室の底面を区画する前記底壁部並びに該底壁部にそれぞれ立設された第１筒部及び第２筒部を有する中栓とを備え、
前記第１筒部は、前記容器本体のスクイズにて前記内容液を前記収容空間から前記計量室に導入する一方、前記容器本体のスクイズ解除にて第１の液面高さを超えて導入された前記内溶液を前記収容空間に回収させる第１開口部を備え、
前記第２筒部は、開閉体によって開閉可能な第２開口部を備え、
前記第２開口部は、前記開閉体による開放時に、第１の液面高さより低い第２の液面高さを超えて導入された前記内溶液を前記収容空間に回収させることを特徴とするスクイズ計量容器。
【０００７】
４．前記開閉体は、上方への付勢力を付与された開閉部と、該開閉部から上方に延びるロッド部とを備え、
前記開閉部は、前記付勢力に抗する前記ロッド部の押し下げにて前記第２開口部を開放する一方、前記押し下げの解除にて前記第２開口部を閉止する、前記３のスクイズ計量容器。
【０００８】
５．前記計量キャップは、前記計量室の上面を区画する上壁部を備え、
前記上壁部には、計量された内溶液の注出口と、前記ロッド部が貫通する貫通孔とが形成されている、前記１、２又は４のスクイズ計量容器。
【０００９】
６．前記上壁部には、前記貫通孔を取り囲む案内筒が垂設されており、
前記ロッド部には、前記案内筒内を液密に摺動する環状突起が形成されている、前記５のスクイズ計量容器。
【００１０】
７．前記上壁部の上面に固着され、前記貫通孔と前記ロッド部の上端を覆う膜体を備える、前記５のスクイズ計量容器。
【００１１】
８．前記第２筒部は、前記第２開口部を形成する環状の頂壁部を備え、
前記ロッド部は、前記第２開口部との間に隙間を空けつつ前記第２開口部を貫通しており、
前記開閉部は、前記第２開口部の縁部に下方から着座する弁体である、前記１、２、４〜７のいずれかのスクイズ計量容器。
【００１２】
９．前記開閉体は、前記開閉部に前記付勢力を付与する弦巻ばね部と、前記底壁部に固定され、前記弦巻ばね部の下端を支持する固定部とを備える、前記８のスクイズ計量容器。
【００１３】
１０．前記開閉体は、前記ロッド部、前記開閉部、前記弦巻ばね部及び前記固定部を一体に備える合成樹脂製の一体成型品である、前記９のスクイズ計量容器。
【発明の効果】
【００１５】
本発明によれば、容器本体のスクイズにて、容器本体の内容液の収容空間から、内溶液を、第１筒部の第１開口部を通じて計量室に導入する一方、容器本体のスクイズ解除にて、第１の液面高さを超えて導入された内溶液を、前記第１開口部を通じて前記収容空間に回収させることができるため、第１の液面高さに対応する第１の分量に正確に計量することが可能となる。また、第２筒部の第２開口部を開閉体によって開放することで、第１の液面高さより低い第２の液面高さを超えて導入された内溶液を、前記第２開口部を通じて前記収容空間に回収させることができるため、第２の液面高さに対応する、第１の分量より少ない第２の分量に正確に計量することが可能となる。さらに、開閉体による前記第２開口部の開放を途中で適宜解除することで、第１の分量と第２の分量の間の任意の分量に正確に計量することが可能となる。
【００１６】
したがって、本発明によれば、予め設定された複数の分量の間の任意の分量に正確に計量して注出することを可能にするスクイズ計量容器を提供することができる。
【図面の簡単な説明】
【００１７】
【図１】本発明の一実施形態に係るスクイズ計量容器の縦断面図であり、不使用時の状態を示す。
【図２】図１のスクイズ計量容器の縦断面図であり、第１の分量に計量した状態を示す。
【図３】図１のスクイズ計量容器の縦断面図であり、分量の調節時の状態を示す。
【図４】図１のスクイズ計量容器の縦断面図であり、第２の分量に計量した状態を示す。
【図５】本発明の他の実施形態に係るスクイズ計量容器の縦断面図であり、不使用時の状態を示す。
【発明を実施するための形態】
【００１８】
以下、図１〜図４を参照して、本発明の一実施形態に係るスクイズ計量容器１について詳細に例示説明する。
なお、本明細書において、上下方向とは、スクイズ計量容器１の不使用時の正立状態を基準とし、上方とは計量室Ｍが位置する側（すなわち、図１における上方）を意味し、下方とは容器本体３の内溶液Ｒの収容空間Ｓが位置する側（すなわち、図１における下方）を意味するものとする。
【００１９】
図１に示すように、本実施形態に係るスクイズ計量容器１は、内容液Ｒの収容空間Ｓに繋がる口部２を有する容器本体３と、該容器本体３の口部２に装着されると共に計量室Ｍが形成された計量キャップ４とを備えている。なお、内容液Ｒとしては、例えば、入浴剤や農薬など、原液を薄めて用いる液体を想定しているが、その他の液体を内溶液Ｒとしてもよい。また、容器本体３は、本例では、口部２、胴部及び底部を有するボトル状をなしており、胴部をスクイズ（圧搾）可能に構成されている。
【００２０】
計量キャップ４は、容器本体３の口部２に装着されたキャップ本体５と、該キャップ本体５と容器本体３の口部２との間に挿入された中栓６とを備えている。なお、キャップ本体５及び中栓６は、それぞれ、合成樹脂の一体成形品とすることが好ましい。キャップ本体５は、容器本体３の口部２にねじによって取り付けられた円筒状の装着筒部７を備えている。なお、装着筒部７は、ねじに代え、アンダーカット嵌合などによって取り付けるようにしてもよい。装着筒部７の上部には、段部８を介して縮径された円筒状の周壁部９が立設されている。周壁部９は、計量室Ｍの周面を区画している。周壁部９の上部には、計量された内溶液Ｒの注出口１０と、貫通孔１１とが形成された上壁部１２が連設されている。上壁部１２は、計量室Ｍの上面を区画している。
【００２１】
また、周壁部９の上部には、ヒンジ１３を介して回動することで、注出口１０を開閉可能なオーバーキャップ１４が連設されている。オーバーキャップ１４は、ヒンジ１３が連結された円筒状の外周壁部１５と、外周壁部１５の上部を閉塞する天面壁部１６とを備えており、天面壁部１６には、注出口１０に嵌合して注出口１０を封止する外側嵌合筒１７が垂設されている。
【００２２】
中栓６は、平面視円形をなす周縁部１８がキャップ本体５の段部８と容器本体３の口部２との間に挿入され、固定された底壁部１９を備えている。底壁部１９は、計量室Ｍの底面を区画している。底壁部１９には、第１筒部２０が立設されている。第１筒部２０は、容器本体３のスクイズにて内容液Ｒを収容空間Ｓから計量室Ｍに導入する一方、容器本体３のスクイズ解除にて第１の液面高さＬ１（後掲図２参照）を超えて導入された内溶液Ｒを収容空間Ｓに回収させる第１開口部２１を備えている。
【００２３】
図１に示したように、第１筒部２０は、本例では、周方向に間隔を空けて形成された複数の開口からなる第１開口部２１を上部に有する有頂円筒状をなしている。また、前述したオーバーキャップ１４の天面壁部１６には、オーバーキャップ１４の閉止時に、第１筒部２０に嵌合して第１開口部２１と計量室Ｍとの連通を遮断する内側嵌合筒２２が垂設されている。第１筒部２０の内周面には、容器本体３の底部付近まで垂下するパイプ２３の上部が嵌合により固定されている。
【００２４】
また、底壁部１９には、第２筒部２４が立設されている。第２筒部２４は、開閉体２５によって開閉可能な第２開口部２６を備えている。第２開口部２６は、開閉体２５による開放時（後掲図３参照）に、第１の液面高さＬ１より低い第２の液面高さＬ２（後掲図４参照）を超えて導入された内溶液Ｒを収容空間Ｓに回収させるようになっている。第２筒部２４は、本例では、第２開口部２６を形成する環状の頂壁部２７を備える有頂円筒状をなしている。
【００２５】
図１に示したように、開閉体２５は、上方への付勢力を付与された開閉部２８と、該開閉部２８から上方に延びるロッド部２９とを備えている。開閉部２８は、前記付勢力に抗するロッド部２９の押し下げにて第２開口部２６を開放する一方、前記押し下げの解除にて第２開口部２６を閉止するようになっている。開閉部２８は、本例では、第２開口部２６の縁部に下方から着座する弁体で構成されている。また、ロッド部２９は、第２開口部２６との間に隙間を空けつつ第２開口部２６を貫通している。
【００２６】
また、開閉体２５は、開閉部２８に前記付勢力を付与する弦巻ばね部３０と、底壁部１９に固定され、弦巻ばね部３０の下端を支持する固定部３１とを備えている。本例では、ロッド部２９と開閉部２８とは合成樹脂の一体成形品として構成され、弦巻ばね部３０は金属製の別部材として構成されている。なお、弦巻ばね部３０は、金属製に限らず、樹脂製とすることも可能である。また、固定部３１は、本例では、更なる別部材として構成された合成樹脂の一体成形品である。なお、固定部３１は、円環状の底板部３２の外周縁から立ち上がる環状壁部３３が、第２筒部２４の内周面に嵌め込まれ、アンダーカットにより固定されている。
【００２７】
また、ロッド部２９は、前述した上壁部１２の貫通孔１１を貫通している。上壁部１２には、貫通孔１１を取り囲む案内筒３４が垂設されており、ロッド部２９には、案内筒３４内を液密に摺動する逆向きスカート状の環状突起３５が形成されている。
【００２８】
かかる構成になる本実施形態に係るスクイズ計量容器１によれば、図１に示したスクイズ計量容器１の正立状態から、オーバーキャップ１４を開き、容器本体３をスクイズすることで、容器本体３の内容液Ｒの収容空間Ｓから、内溶液Ｒを、第１筒部２０の第１開口部２１を通じて計量室Ｍに導入する一方、容器本体３のスクイズ解除にて、第１の液面高さＬ１を超えて導入された内溶液Ｒを、第１開口部２１を通じて収容空間Ｓに回収させることができるため、図２に示すように、第１の液面高さＬ１に対応する第１の分量に正確に計量することが可能となる。
【００２９】
また、図３に示すように、第２筒部２４の第２開口部２６を開閉体２５によって開放することで、第１の液面高さＬ１より低い第２の液面高さＬ２を超えて導入された内溶液Ｒを、第２開口部２６を通じて収容空間Ｓに回収させることができるため、図４に示すように、第２の液面高さＬ２に対応する、第１の分量より少ない第２の分量に正確に計量することが可能となる。
【００３０】
さらに、開閉体２５による第２開口部２６の開放を途中で適宜解除することで、第１の分量と第２の分量の間の任意の分量に正確に計量することが可能となる。なお、第１の液面高さＬ１と第２の液面高さＬ２との間には、分量を表示する目盛を設けることが好ましい。このような目盛を設ける場合には、例えば、周壁部９の内周面に目盛を設けてもよいし、周壁部９を透明に構成し、該周壁部９の外周面に目盛を設けてもよい。
【００３１】
このように、スクイズ計量容器１によれば、予め設定された複数の分量の間の任意の分量に正確に計量して注出することを可能にすることができる。
【００３２】
また、スクイズ計量容器１によれば、開閉体２５のロッド部２９を上方への付勢力に抗して押し下げることで第２開口部２６を開放させる一方、前記押し下げの解除にて第２開口部２６を閉止させることができ、簡単な操作で分量を調節することが可能となる。
【００３３】
また、スクイズ計量容器１によれば、開閉体２５のロッド部２９が上壁部１２の貫通孔１１を貫通しているため、上壁部１２の上側からロッド部２９を操作することができ、分量調節のための操作をより一層簡単なものとすることができる。
【００３４】
また、スクイズ計量容器１によれば、ロッド部２９には、貫通孔１１を取り囲む案内筒３４内を液密に摺動する環状突起３５が形成されているため、容器本体３を傾けて、計量済みの内溶液Ｒを注出する際に、内溶液Ｒが貫通孔１１とロッド部２９との隙間から漏れ出ることを防止することができる。このため、操作部となるロッド部２９の上端に内溶液Ｒが付着することを防止することができる。したがって、スクイズ計量容器１によれば、ロッド部２９を押し下げるための操作部を清潔に保つことができる。
【００３５】
また、スクイズ計量容器１によれば、ロッド部２９は、第２開口部２６との間に隙間を空けつつ第２開口部２６を貫通しており、開閉部２８は、第２開口部２６の縁部に下方から着座する弁体で構成したので、分量調節のための構成を簡素化することができる。
【００３６】
また、スクイズ計量容器１によれば、開閉体２５は、開閉部２８に上方への付勢力を付与する弦巻ばね部３０と、底壁部１９に固定され、弦巻ばね部３０の下端を支持する固定部３１とを備えているため、開閉部２８に上方への付勢力を付与するための構成を簡素化することができる。
【００３７】
さらに、スクイズ計量容器１によれば、計量キャップ４は、容器本体３の口部２に装着されると共に周壁部９を有するキャップ本体５と、該キャップ本体５と前記口部２との間に挿入されると共に底壁部１９、第１筒部２０及び第２筒部２４を有する中栓６とを備えているため、計量キャップ４の部品点数を抑制し、低コスト化を図ることができる。
【００３８】
次に、図５を参照して、本発明の他の実施形態に係るスクイズ計量容器１’について詳細に例示説明する。
図５に示すように、本実施形態に係るスクイズ計量容器１’は、図１〜図４を用いて説明した実施形態の場合とは、開閉体２５’の構成、及び開閉体２５’のロッド部２９’の上部周辺の構成が異なる他は、同一の構成となっている。
【００３９】
本実施形態では、開閉体２５’は、ロッド部２９’、開閉部２８’、弦巻ばね部３０’及び固定部３１’を一体に備える合成樹脂製の一体成型品となっている。また、上壁部１２’の上面には、貫通孔１１とロッド部２９’の上端を覆う、軟性材料からなるドーム状の膜体３６が固着されている。なお、膜体３６は、２材成形によってキャップ本体５’と一体に成形することが好ましい。また、本実施形態では、ロッド部２９’には、前述した実施形態では設けられていた環状突起３５は設けられていない。また、そのため、案内筒３４’の径寸法も縮小されている。
【００４０】
かかる構成になる本実施形態に係るスクイズ計量容器１’によれば、開閉体２５’がロッド部２９’、開閉部２８’、弦巻ばね部３０’及び固定部３１’を一体に備える合成樹脂製の一体成型品として構成されているため、部品点数が低減され、低コスト化を図ることができる。また、弦巻ばね部３０’を合成樹脂で構成することができるため、内溶液Ｒを、調味料などの飲食料品とすることも可能になる。
【００４１】
また、スクイズ計量容器１’によれば、上壁部１２’の上面に固着され、貫通孔１１とロッド部２９’の上端を覆う膜体３６を備えているので、膜体３６を介してロッド部２９’を押し下げることができる。したがって、容器本体３を傾けて、計量済みの内溶液Ｒを注出する際に、内溶液Ｒが貫通孔１１とロッド部２９’との隙間から漏れ出たとしても、ロッド部２９’を押し下げるための操作部となる膜体３６の上面には、内溶液Ｒが付着することはない。したがって、スクイズ計量容器１’によれば、ロッド部２９’を押し下げるための操作部を清潔に保つことができる。
【００４２】
前述したところは、本発明の一実施形態を示したにすぎず、特許請求の範囲において、種々の変更を加えることができる。例えば、図１〜図４を用いて説明した実施形態では、第２筒部２４及び開閉体２５は、１組設けられているが、２組以上設けてもよい。この場合には、複数の第２筒部２４に設けられる第２開口部２６が対応する液面高さを相互に異なるものとすることで、複数の液面高さに対応する複数の分量への調節を容易化することができる。なお、この点は、図５を用いて説明した実施形態の場合においても、同様である。
【符号の説明】
【００４３】
１，１’  スクイズ計量容器
２  口部
３  容器本体
４  計量キャップ
５，５’  キャップ本体
６  中栓
７  装着筒部
８  段部
９  周壁部
１０  注出口
１１  貫通孔
１２，１２’  上壁部
１３  ヒンジ
１４  オーバーキャップ
１５  外周壁部
１６  天面壁部
１７  外側嵌合筒
１８  周縁部
１９  底壁部
２０  第１筒部
２１  第１開口部
２２  内側嵌合筒
２３  パイプ
２４  第２筒部
２５，２５’  開閉体
２６  第２開口部
２７  頂壁部
２８，２８’  開閉部
２９，２９’  ロッド部
３０，３０’  弦巻ばね部
３１，３１’  固定部
３２  底板部
３３  環状壁部
３４，３４’  案内筒
３５  環状突起
３６  膜体
Ｒ  内容液
Ｓ  収容空間
Ｍ  計量室
Ｌ１  第１の液面高さ
Ｌ２  第２の液面高さ
【図１】
0006341826.tif 000002
【図２】
0006341826.tif 000003
【図３】
0006341826.tif 000004
【図４】
0006341826.tif 000005
【図５】
0006341826.tif 000006